(57)【要約】      （修正有）【課題】乗降時の停滞を解消し、上下の方向転換での揺れを防止して安全運転ができる懸垂循環式エレベーターを提供する。【解決手段】昇降空間内を循環する左右一対のエンドレスチェイン２１による第一系列の籠５に加えて、第二系列エンドレスチェイン２２及び第三系列のエンドレスチェインを第一系列のエンドレスチェイン２１に並設し、各々のエンドレスチェインに籠を交互に振り分けて取付け、各系列毎に別々の動力により循環運行する。運行時の籠のゆれを防止するため、半円周運動をする最上空間及び最下空間に於いて籠外壁にラック板６、６’を設けて、垂直の歯が回転自在の縦長尺ピニオン棒３３、３４に噛み合うと共に、籠の屋根上及び床下に設けた広幅ラック板９、１０を、エレベーター架台１に取付けた回転自在の横長ピニオン棒３５、３６に噛み合わせることにより、籠５、５’の姿勢を常に垂直に保つ。【選択図】図３
2009263131.tif 000002
【特許請求の範囲】
【請求項１】
エレベーター２台分の昇降空間に多数の籠５を懸垂循環運転させるエレベーターの構造において、エレベーターの架台１の前側と後側に一対の上部チェインホイール１３と一対の下部チェインホイール１５を取付け、これに支持された前後一対のエンドレスチェイン２１により多数の籠５を循環運行させるようにした第一系列に、第二系列を新しく増設するために前記のチェインホイール１３及び１５と同じ回転中心をもつチェインホイール１６及び１８を取付け、これに前記エンドレスチェイン２１と並行に前後一対のエンドレスチェイン２２を支持させて、第二系列を形成し、これにより籠を懸垂して、循環するようにし、更に同様な構造を追加することによって第三系列としエンドレスチェイン２３を並行して組込み、その各々の系列のエンドレスチェイン２１、２２及び２３に多数の籠を１個宛順番に配分してチェイン取付金具８により取付け、各々の系列をモーター２６、２９及び３２により別々に駆動することにより独自にその運行速度を変え、又停動させて運転し、乗降時間の遅延に対応しうるよに運行する懸垂循環式エレベーターの構造。
【請求項２】
特許請求の範囲の請求項１に記載の懸垂循環式エレベーターの構造において、その籠５が上昇空間を上昇してきて籠５が上部チェインホイール１３に近づくと籠外壁に取付けたラック板６の垂直の歯が、エレベーターの架台１に設置された回転自在の上部縦長尺ピニオン棒３３に噛み合うことにより垂直に上昇し、上部チェインホイール１３の中心位置に達すると、籠５の屋根上に設けた広幅ラック板９の歯がエレベーターの架台１の最上位置に水平に設置された回転自在の上部横長ピニオン棒３５の歯に噛み合っていくことにより籠５は円を画いて上昇しながら水平に横すべりして、最上位置に達し、しかる後、円を画いて隣の下降空間に向かって降下を始め、籠外壁のラック板６の垂直の歯が下降空間内の回転自在の上部縦長尺ピニオン棒３３に噛み合いながら降下して、このラック板６の歯は、籠昇降案内レール１１の垂直の歯に噛み合って、長距離降下して下部チェインホイール１５の近くで籠下部の外壁のラック板６が、下部縦長尺ピニオン棒３４に噛み合い垂直に降下し、最下空間に入ると、次は籠床下の広幅ラック板１０の歯が、エレベーターの架台１の最下位置に水平に設置された回転自在の下部横長ピニオン棒３６の歯に噛み合っていくことにより籠５は円を画いて下降しながら水平に横すべりして最下位置に達し、しかる後、円を画いて元の上昇空間に戻るように運行することにより最上空間、最下空間を含む全空間において籠を安定して循環運行させる構造。
【発明の詳細な説明】
【技術分野】
【０００１】  エレベーター２台分の昇降空間で多数のエレベーターを循環運転する方法は輸送力を大幅に向上できるため有望な技術分野である。
【発明の開示】
【発明が解決しようとする課題】
【０００２】  ガイドレールに沿うて多数の籠を自走により循環させる方法は昇降空間内の上下の方向転換の空間でのガイドレールの切換が必要であって、技術的に問題点が多い。【０００３】  エンドレスチェインによる籠懸垂の循環運転は構造的に簡単で安全性が高いが、すべての籠が同時に停動するため乗降時の停滞は避けられない欠点をもっている。【０００４】  籠懸垂による循環運転は昇降空間内の上下の方向転換の空間では籠を誘導するガイドレールが取付けられないため、この場所で籠は揺れて乗客用としては使用できない。特に地震の時はその揺れは大きく危険である。【０００５】  本発明はこの懸垂の循環運転に於いて乗降時の停滞を解消し、又上下の方向転換空間での揺れを防止し、安全運転を可能にするものである。
【課題を解決するための手段】
【０００６】  解決するための第一の方法はエレベーター２台分の昇降空間に多数の籠５を懸垂循環運転させるエレベーターの構造において、エレベーターの架台１の前側と後側に一対の上部チェインホイール１３と一対の下部チェインホイール１５を取付け、これに支持された前後一対のエンドレスチェイン２１により多数の籠５を循環運行させるようにした第一系列に、第二系列を新しく増設するために前記のチェインホイール１３及び１５と同じ回転中心をもつチェインホイール１６及び１８を取付け、これに前記エンドレスチェイン２１と並行に前後一対のエンドレスチェイン２２を支持させて、第二系列を形成し、これにより籠を懸垂して、循環するようにし、更に同様な構造を追加することによって第三系列としエンドレスチェイン２３を並行して組込み、その各々の系列のエンドレスチェイン２１、２２及び２３に多数の籠を１個宛順番に配分してチェイン取付金具８により取付け、各々の系列をモーター２６、２９及び３２により別々に駆動することにより独自にその運行速度を変え、又停動させて運転し、乗降時間の遅延に対応しうるよに運行しうるようにする。【０００７】  解決のための第二の方法は循環式エレベーターの懸垂される籠の揺れを防止する方法であって、エレベーターの籠５が上昇空間を上昇してきて籠５が上部チェインホイール１３に近づくと籠外壁に取付けたラック板６の垂直の歯が、エレベーターの架台１に設置された回転自在の上部縦長尺ピニオン棒３３に噛み合うことにより垂直に上昇し、上部チェインホイール１３の中心位置に達すると、籠５の屋根上に設けた広幅ラック板９の歯がエレベーターの架台１の最上位置に水平に設置された回転自在の上部横長ピニオン棒３５の歯に噛み合っていくことにより籠５は円を画いて上昇しながら水平に横すべりして、最上位置に達し、しかる後、円を画いて隣の下降空間に向かって降下を始め、籠外壁のラック板６の垂直の歯が下降空間内の回転自在の上部縦長尺ピニオン棒３３に噛み合いながら降下して、このラック板６の歯は、籠昇降案内レール１１の垂直の歯に噛み合って、長距離降下して下部チェインホイール１５の近くで籠下部の外壁のラック板６が、下部縦長尺ピニオン棒３４に噛み合い垂直に降下し、最下空間に入ると、次は籠床下の広幅ラック板１０の歯が、エレベーターの架台１の最下位置に水平に設置された回転自在の下部横長ピニオン棒３６の歯に噛み合っていくことにより籠５は円を画いて下降しながら水平に横すべりして最下位置に達し、しかる後、円を画いて元の上昇空間に戻るように運行することにより最上空間、最下空間を含む全空間において籠を安定して循環運行させるものである。
【発明の効果】
【０００８】  本発明により各系列は別々の動力によりその運行速度を変え、又停動して乗降時間の遅延に対応しうるため乗客は円滑に乗降できうるようになる。【０００９】  又籠５は縦長尺ピニオン棒３３及び３４と、横長ピニオン棒３５及び３６の作用により全空間に於いて揺れることなく安定して運行できるので地震時に於いても安全である。【００１０】  又、籠の一台が故障により停止した場合は、その上の籠も一時停止させた後、故障した籠に近づけて降下させ、その床に設けた非常口より故障した籠の天井の非常口に縄梯子などを吊り下げて、上の籠に避難させる等、安全対策をとることが出来る。【００１１】  各系列で吊り下げる籠の数を偶数にすることにより、上部チェインホイール１３、１６及び１８に負荷されている重量は左右で、ほぼ釣り合うため籠を循環させる動力を軽減することが出来る。
【発明の実施をするための最良の形態】
【００１２】  本発明の実施の一例として図３、図４及び図５に示す通り、エレベーターの架台１の上部の前側と後側に一対の上部固定軸２を取付け、これにより前後一対の第一系列の上部チェインホイール１３を回転自在に支持し、同様に下部にも一対の下部固定軸３を取付けて、これに一対の第一系列の下部チェインホイール１５を回転自在に支持し、これらに前後一対の第一系列エンドレスチェイン２１を取付け、これにより籠５を一対のチェイン取付金具８により支持する。そして第一系列の上部チェインホイール１３には駆動用チェインホイール２４が取付けられており、第一系列のモーター及び附属チェインホイール２６により第一系列の駆動用チェイン２５を介して駆動されることにより上部チェインホイール１３は第一系列のエンドレスチェイン２１を引き上げて籠５を上昇させる。この第一系列に新しく第二系列を加えるため、一対の第一系列の上部チェインホイール１３の側面に設けられたベアリング１４により第二系列の上部チェインホイール１６を回転自在に支持し、又、第二系列の下部チェインホイール１８も同じ構造のベアリング１４により回転自在に支持し、これらに前後一対の第二系列のエンドレスチェイン２２を取付け、これにより籠５’をチェイン取付金具８により支持する。そしてこの上部チェインホイール１６には駆動用チェインホイール２７が取付けられており、モーター及び附属チェインホイール２９により駆動用チェイン２８を介して駆動されることにより上部チェインホイール１６は第二系列のエンドレスチェイン２２を引き上げて籠５’を上昇させる。
【００１３】  第三系列の循環系列を増加するときも第二系列の構造と同様に図６に示すように第三系列の上部チェインホイール１９は第二系列の上部チェインホイール１６の側面ベアリング１７により回転自在に支持され、第三系列のエンドレスチェイン２３は駆動用チェインホイール３０を介して第三系列のモーター及び附属チェインホイール３２により駆動されて第三系列のエンドレスチェイン２３は循環昇降できるようになる。
【００１４】  図１は第一系列と第二系列を組合わせたものであって、第一系列のエンドレスチェイン２１にはＡで示す２個所、第二系列にはＢで示す２個所にそれぞれ籠５及び５’を取付け、矢印方向に循環させる。例えば９階床にあるＡ籠の上昇開始が遅れた時は第二系列のＢ籠はその間に３階床より７階床まで上昇を続けることが可能であって、次にＡ籠の増速により、通常の籠間隔に戻すこととなる。
【００１５】  図２は図１より循環系列を更に増加した場合を示すものであって第一系列にはＡで示す２個所、第二系列にはＢで示す２個所、第三系列にはＣで示す２個所に、それぞれ籠５、５’及び５”を取付け計６個所の籠を適当な間隔をあけて同方向に循環させることができる。この場合も各系列は別々のモーターにより循環させるため、その運転速度を変え、又停動して乗降時間の遅延に対応することが出来る。
【００１６】  以上のように系列を増加することにより従来のエレベーターに比し大幅に輸送力を増大することが可能である。
【００１７】  次に懸垂される籠の揺れを防止することが必要である。籠５が上昇空間を上昇してきて籠５が上部チェインホイール１３に近づくと籠外壁に取付けたラック板６の垂直の歯が、エレベーターの架台１に設置された回転自在の上部縦長尺ピニオン棒３３に噛み合うことにより垂直に上昇し、上部チェインホイール１３の中心位置に達すると、この縦長尺ピニオン棒３３の噛み合いを保持しながら、同時に籠５の屋根上に設けた広幅ラック板９の歯がエレベーターの架台１の最上位置に水平に設置された回転自在の上部横長ピニオン棒３５の歯に噛み合っていくことにより籠５は円を画いて上昇しながら水平に横すべりして、最上位置に達し、しかる後、円を画いて隣の下降空間に向かって降下を始め、籠外壁のラック板６の垂直の歯が下降空間内の回転自在の上部縦長尺ピニオン棒３３に噛み合いながら降下して、このラック板６の歯は、籠昇降案内レール１１の垂直の歯に噛み合って、長距離降下して下部チェインホイール１５の近くで籠下部の外壁のラック板６が、下部縦長尺ピニオン棒３４に噛み合い垂直に降下し、最下空間に入ると、次は籠床下の広幅ラック板１０の歯が、エレベーターの架台１の最下位置に水平に設置された回転自在の下部横長ピニオン棒３６の歯に噛み合っていくことにより籠５は円を画いて下降しながら水平に横すべりして最下位置に達し、しかる後、円を画いて元の上昇空間に戻るように運行することにより最上空間、最下空間を含む全空間において籠を安定して循環運行させることができる。
【００１８】  上記の如く籠５は縦長尺ピニオン棒３３及び３４、横長ピニオン棒３５及び３６により最上、最下の両空間を安定して循環し、又垂直運行の場所では、外壁にラック板６を設けた籠５はエレベーターの架台１の前側及び後側に設置した２本の長い垂直歯をもつ籠昇降案内レール１１の間を円滑に安定して昇降する。
【００１９】  籠外壁のラック板６は図７に示すように縦方向のラック歯に刻まれており、この歯に噛み合って縦長尺ピニオン棒３３及び３４が、縦方向に滑りながら転動する。又一方、籠昇降レール１１と噛み合い、滑動する。このとき両者間の摩擦を軽減するために図８のようにラック歯の代わりに歯形ローラー７を並べた構造とすることも出来る。
【００２０】  循環するエンドレスチェイン２１、２２及び２３は垂直の昇降空間に於いても籠５、５’及び５”にチェイン取付金具８により連結されているため、地震により揺れる恐れは少ないが、その内面をエンドレスチェイン用案内レール１２により案内し、更に僅かに磁化して吸着させることにより地震の揺れに耐えることが出来る。
【図面の簡単な説明】
【００２１】
【図１】本発明のエレベーター循環系列の一例を示す説明図
【図２】本発明のエレベーター循環系列の他例を示す説明図
【図３】本発明の実施形態の実施例を示す縦中央断面図
【図４】図３のＸ−Ｘ断面図
【図５】図３の平面図
【図６】本発明の実施例の部品チェインホイールの縦中央断面図
【図７】本発明の実施例の部品籠外壁のラック板の側面図及び平面図
【図８】本発明の実施例の部品籠外壁ラック板の歯形ローラーの側面図及び平面図
【符号の説明】
【００２２】  １・・・エレベーターの架台            ２・・・架台上部の固定軸
３・・・架台下部の固定軸              ４・・・固定軸のベアリング
５・・・第一系列の籠                  ５’・・・第二系列の籠
５”・・・第三系列の籠                ６・・・籠外壁のラック板
７・・・籠外壁ラック板の歯形ローラー  ８・・・籠のチェイン取付金具
９・・・籠屋根の上の広幅ラック板    １０・・・籠床下の広幅ラック板
１１・・・籠昇降案内レール            １２・・・エンドレスチェイン用案内レール
１３・・・第一系列の上部チェインホイール
１４・・・第一系列の上部チェインホイールの側面のベアリング
１５・・・第一系列の下部チェインホイール
１６・・・第二系列の上部チェインホイール
１７・・・第二系列の上部チェインホイールの側面のベアリング
１８・・・第二系列の下部チェインホイール
１９・・・第三系列の上部チェインホイール
２０・・・第三系列の下部チェインホイール
２１・・・第一系列のエンドレスチェイン  ２２・・・第二系列のエンドレスチェイン
２３・・・第三系列のエンドレスチェイン
２４・・・第一系列の駆動用チェインホイール  ２５・・・第一系列の駆動用チェイン
２６・・・第一系列のモーター及び附属チェインホイール
２７・・・第二系列の駆動用チェインホイール  ２８・・・第二系列の駆動用チェイン
２９・・・第二系列のモーター及び附属チェインホイール
３０・・・第三系列の駆動用チェインホイール  ３１・・・第三系列の駆動用チェイン
３２・・・第三系列のモーター及び附属チェインホイール
３３・・・上部縦長尺ピニオン棒              ３４・・・下部縦長尺ピニオン棒
３５・・・上部横長ピニオン棒                ３６・・・下部横長ピニオン棒
【図１】
2009263131.tif 000003
【図２】
2009263131.tif 000004
【図３】
2009263131.tif 000005
【図４】
2009263131.tif 000006
【図５】
2009263131.tif 000007
【図６】
2009263131.tif 000008
【図７】
2009263131.tif 000009
【図８】
2009263131.tif 000010